(57)【要約】      （修正有）【課題】葉書印刷原稿を作成するためのプログラム及び装置に関し、葉書原稿の状態に応じて葉書本体へ規定された文字を自動的に配置する。【解決手段】葉書印刷アプリケーション１０１において、配置関係取得部２１０は、編集中の葉書印刷原稿データ１０３における葉書本体原稿とその葉書本体原稿に添付される添付物原稿との配置関係を取得する。規定文字配置位置調整部２１１は、上記配置関係に応じて、葉書本体原稿上で規定された文字、例えば「郵便はがき」又はこれに相当する文字の配置位置を調整する。葉書本体と添付物とが密着された形式の葉書原稿を作成、編集する際に、葉書本体と添付物との配置関係が自動的に判別されて、葉書本体の上部又は左側部（或いは右側部）に、規定された文字が自動的に配置される。これにより、ユーザは、葉書本体と添付物との配置関係を意識することなく、葉書本体に記載が必要な規定された文字を自動的に配置できる。【選択図】図２
2019110481.tif 000002
【特許請求の範囲】
【請求項１】
葉書本体のデータと前記葉書本体に添付される添付物原稿のデータとからなる葉書印刷原稿のデータを作成するコンピュータに、
編集中の前記葉書印刷原稿における前記葉書本体原稿と前記添付物原稿との配置関係を取得する配置関係取得ステップと、
前記配置関係に応じて、前記葉書本体原稿上で規定された文字の配置位置を調整する規定文字配置位置調整ステップと、
を実行させるためのプログラム。
【請求項２】
前記規定文字配置位置調整ステップにおいて、前記配置関係において前記葉書本体原稿が前記葉書印刷原稿において宛名の面となっている場合には、前記葉書本体原稿の上部に前記規定された文字を配置し、前記配置関係において前記葉書本体原稿が前記葉書印刷原稿データの内側の面となっている場合には、前記葉書本体原稿の左側部又は右側部に前記規定された文字を配置する、請求項１に記載のプログラム。
【請求項３】
前記規定文字配置位置調整ステップにおいて、前記葉書本体原稿の左側部又は右側部に前記規定された文字を配置する場合に、前記宛名の面を前記葉書本体原稿に全面密着させたときに前記葉書本体原稿の左側部又は右側部に配置される前記規定された文字が隠れないように、前記宛名の面のサイズを調整する、請求項１又は２に記載のプログラム。
【請求項４】
前記規定された文字は、前記葉書本体原稿が通常葉書の原稿である場合には、「郵便はがき」又はこれに相当する文字であり、前記葉書本体原稿が往復葉書の原稿である場合には、「郵便往復はがき」又はこれに相当する文字である、請求項１乃至３のいずれかに記載のプログラム。
【請求項５】
葉書本体のデータと前記葉書本体に添付される添付物原稿のデータとからなる葉書印刷原稿のデータを作成する装置であって、
編集中の前記葉書印刷原稿における前記葉書本体原稿と前記添付物原稿との配置関係を取得する配置関係取得部と、
前記配置関係に応じて、前記葉書本体原稿上で規定された文字の配置位置を調整する規定文字配置位置調整部と、
を備える葉書印刷原稿作成装置。
【発明の詳細な説明】
【技術分野】
【０００１】
本発明は、葉書印刷原稿を作成するためのプログラム及び装置に関する。
【背景技術】
【０００２】
第二種郵便物である郵便葉書（通常葉書又は往復葉書）は、日本国の郵便法とその第６７条及び第６８条の規定に基づき定められた日本郵便株式会社の「内国郵便約款」の第２０条から第２８条に規定されている。この中で、日本郵便株式会社以外の者が作成する通常葉書又は往復葉書（以下「私製葉書」）は、大きさ、重さ、色等が規定されている。これと共に、私製葉書に関して、表面（葉書本体）の上部又は左側部（横に長く使用するものにあっては、右側部）の中央に、通常葉書にあっては「郵便はがき」又はこれに相当する文字を、往復葉書の往信部及び返信部にあっては「郵便往復はがき」又はこれに相当する文字を明瞭に表示することが規定されている。更に、郵便葉書には、薄い紙又はこれに類する物を第２２条で規定する規格を満たし（葉書本体をはみ出さないように）かつ容易にはがれないように全面密着させたものを添付できる旨が規定されている。
【０００３】
そこで、上記規定に従った葉書本体及びその添付物に関する葉書原稿を作成できるコンピュータソフトウェアが要請されている。
【０００４】
従来、コンテンツの構成によって、葉書の折り方と、該葉書の折り方に基づく用紙の選択とを自動で行うことにより圧着葉書を作成する技術が提案されている（例えば特許文献１）。
【先行技術文献】
【特許文献】
【０００５】
【特許文献１】特許５３３５４１１号公報
【発明の概要】
【発明が解決しようとする課題】
【０００６】
しかしながら、上記従来技術は、コンテンツの配置と葉書の折り方を自動的に決定することはできるが、「郵便はがき」、「郵便往復はがき」、又はこれらに相当する文字を葉書本体に自動的に配置することはできなかった。予め設定された葉書本体に上記文字を予め配置しておく技術も考えられるが、例えば葉書原稿の編集の途中で、葉書本体と添付物との大きさなどの関係で、いままで添付物であった物が葉書本体と判断されてしまうような場合に、上記文字を自動的に配置し直すことはできなかった。
【０００７】
そこで、本発明は、葉書原稿の状態に応じて葉書本体へ規定された文字を自動的に配置可能とする。
【課題を解決するための手段】
【０００８】
態様の一例のプログラムでは、葉書本体のデータと葉書本体に添付される添付物のデータとからなる葉書印刷原稿のデータを作成するコンピュータに、編集中の葉書印刷原稿における葉書本体原稿と添付物原稿との配置関係を取得する配置関係取得ステップと、配置関係に応じて、葉書本体原稿上で規定された文字の配置位置を調整する規定文字配置位置調整ステップと、を実行させる。
【発明の効果】
【０００９】
本発明によれば、葉書原稿の状態に応じて葉書本体へ規定された文字を自動的に配置することが可能となる。
【図面の簡単な説明】
【００１０】
【図１】葉書印刷原稿作成システムのブロック図である。
【図２】葉書印刷原稿作成装置の実施形態のブロック図である。
【図３】葉書本体原稿と添付物原稿と葉書本体原稿に対して規定された文字との関係の説明図である。
【図４】葉書本体原稿と添付物原稿との印刷配置の説明図である。
【図５】規定文字配置制御処理の例を示すフローチャートである。
【発明を実施するための形態】
【００１１】
以下、本発明を実施するための形態について図面を参照しながら詳細に説明する。図１は、葉書印刷原稿作成システムのブロック図である。本システムは、例えばパーソナルコンピュータであある葉書印刷原稿作成装置１００と、印刷機１０４と、葉書断裁機１０５と、葉書圧着機１０６と、葉書印刷原稿作成装置１００と印刷機１０４とを結ぶＬＡＮ１０７（ローカルエリアネットワーク）とを含む。
【００１２】
葉書印刷原稿作成装置１００は更に、葉書印刷原稿データ１０３を作成、編集する葉書印刷アプリケーション１０１と、作成された葉書印刷原稿データ１０３の印刷ジョブデータを、ＬＡＮ１０７を介して印刷機１０４に発行するプリンタドライバ１０２を有する。
【００１３】
印刷機１０４は、ＬＡＮ１０７を介して葉書印刷原稿作成装置１００から受信した葉書印刷原稿の印刷ジョブデータを処理して、葉書印刷原稿を印刷する。
【００１４】
葉書断裁機１０５は、例えば印刷機１０４の排紙側に接続される機械であり、印刷された葉書印刷原稿紙において、葉書本体が内側面となるときに、内側面表面の左側部に重なる宛名面の部分を断裁する。
【００１５】
葉書圧着機１０６は、葉書断裁機１０５の出力側に接続され、印刷された葉書印刷原稿紙において、宛名面の裏面と内側面表面とを全面密着させることにより葉書本体と添付物とからなる葉書を作成する。
【００１６】
図２は、図１の葉書印刷原稿作成装置１００の実施形態のブロック図である。葉書印刷原稿作成装置１００は、例えばパーソナルコンピュータであり、制御部２０１と、外部記憶装置２０２と、入力部２０３と、表示部２０４と、通信インタフェース２０５と、可搬記録媒体インタフェース２０６が、バス２０７によって相互に接続された構成を有する。制御部２０１は更に、図１の葉書印刷アプリケーション１０１と、図１のプリンタドライバ１０２と、内部の特には図示しないＲＡＭ（ランダムアクセスメモリ）等に展開され、葉書印刷アプリケーション１０１が作成、編集する葉書印刷原稿データ１０３とを含む。更に、葉書印刷アプリケーション１０１は、配置関係取得部２１０と、規定文字配置位置調整部２１１の各機能部を含む。
【００１７】
制御部２０１は、葉書印刷アプリケーション１０１、及びその機能部である配置関係取得部２１０と規定文字配置位置調整部２１１の各部の機能を実現する専用のハードウェア装置、又は特には図示しないメモリに記憶された制御プログラムを実行するプロセッサである。
【００１８】
制御部２０１で実行される第１プリンタドライバ部に含まれる印刷データ生成部２１１は、原稿データ生成部２１０で生成された原稿データから印刷データを生成する。印刷データは、原稿データに対するイメージ画像データである。
【００１９】
制御部２０１で実行される葉書印刷アプリケーション１０１は、葉書印刷原稿データ１０３を作成、編集する、いわゆるワードプロセッサとしての機能を有する。これに加えて、葉書印刷アプリケーション１０１内の配置関係取得部２１０は、編集中の葉書印刷原稿データ１０３における葉書本体原稿とその葉書本体原稿に添付される添付物原稿との配置関係を取得する機能を有する。また、葉書印刷アプリケーション１０１内の規定文字配置位置調整部２１１は、上記配置関係に応じて、葉書本体原稿上で規定された文字の配置位置を調整する機能を有する。
【００２０】
制御部２０１で実行されるプリンタドライバ１０２は、葉書印刷アプリケーション１０１が生成した葉書印刷原稿データ１０３に対応する印刷ジョブデータを生成し、通信インタフェース２０５から、図１のＬＡＮ１０７を介して印刷機１０４に出力することにより、葉書印刷原稿の印刷を指示する。
【００２１】
外部記憶装置２０２は、例えばハードディスク記憶装置又は半導体ディスク記憶装置であり、制御部２０１で実行される各種制御プログラム及び制御データや、葉書印刷原稿データ１０３、印刷ジョブデータ等を記憶する。
【００２２】
入力部２０３は、ユーザが葉書印刷原稿データ１０３の作成やプリンタドライバ１０２に対する印刷指示を入力するための、例えばキーボードやポインティングデバイスである。表示部２０４は、葉書印刷原稿データ１０３や各種データを表示するための、例えば液晶ディスプレイである。
【００２３】
通信インタフェース２０５は、制御部２０１と図１のＬＡＮ１０７との間のデータの送受信を中継する。
【００２４】
可搬記録媒体インタフェース２０６は、ＵＳＢメモリ、ＳＤカードメモリ、コンパクトフラッシュ（登録商標）メモリや、ＣＤ−ＲＯＭ、ＤＶＤ、光ディスク等の可搬記録媒体２０８を収容するもので、外部記憶装置２０２の補助の役割を有する。
【００２５】
本実施形態による葉書印刷原稿作成装置１００は、制御部２０１の各種機能を実現する制御プログラムをプロセッサが実行することで実現されてよく、それらの制御プログラムは、例えば外部記憶装置２０２や可搬記録媒体２０８に記録して配布してもよく、或いは通信インタフェース２０５によりＬＡＮ１０７（図１）から取得できるようにしてもよい。
【００２６】
以上の構成を有する葉書印刷原稿作成装置１００の実施形態の動作について、詳細に説明する。まず、図３は、葉書本体原稿と添付物原稿と葉書本体原稿に対して規定された文字との関係の説明図である。前述したように、まず私製葉書に関して、葉書本体の上部又は左側部（横に長く使用するものにあっては、右側部）の中央に、通常葉書にあっては「郵便はがき」又はこれに相当する文字を、往復葉書の往信部及び返信部にあっては「郵便往復はがき」又はこれに相当する文字を明瞭に表示することが規定されている。また、私製葉書を含む郵便葉書には、薄い紙又はこれに類する物を葉書本体をはみ出さないようにかつ容易にはがれないように全面密着させた添付物を添付することが認められている。この場合、サイズが大きいほうが葉書本体となる。
【００２７】
例えば図３（ａ）に示されるように、宛名が記載された宛名面３０１のサイズが横１００ｍｍであり、内側の面である内側面３０２のサイズが横９５ｍｍで、縦は例えば同じサイズであれば、宛名面３０１が葉書本体とされ、内側面３０２が添付物とされる。そして、葉書本体である宛名面３０１の上部に「郵便はがき」（通常葉書の場合）という規定された文字３０３を印刷する必要がある。
【００２８】
一方、図３（ｂ）に示されるように、宛名が記載された宛名面３０１のサイズが横９５ｍｍであり、内側の面である内側面３０２のサイズが横１００ｍｍで、縦は例えば同じサイズであれば、内側面３０２のほうが葉書本体とされ、宛名面３０１は添付物とされる。そして、葉書本体である内側面３０２の左部（横長の場合は右部）に「郵便はがき」（通常葉書の場合）という規定された文字３０３を印刷する必要がある。
【００２９】
更に、図３（ｃ）に示されるように、葉書本体の上下にそれぞれ内側面を添付することも認められている。この場合、宛名が記載された宛名面３０１のサイズが横９５ｍｍであり、真ん中の内側面３０２（＃１）のサイズが横１００ｍｍで、下側の内側面３０２（＃２）のサイズが横９５ｍｍで、縦は例えば全て同じサイズであれば、真ん中の内側面３０２（＃１）が葉書本体とされ、宛名面３０１及び下側の内側面３０２（＃２）は添付物とされる。そして、葉書本体である真ん中の内側面３０２（＃１）の左部（横長の場合は右部）に「郵便はがき」（通常葉書の場合）という規定された文字３０３を印刷する必要がある。
【００３０】
本実施形態では、例えば葉書印刷原稿の作成をガイドするウィザード機能等において、又は編集途中で、図３（ａ）に示されるように、宛名面３０１が葉書本体とされ内側面３０２は添付物とされるような葉書本体と添付物の配置関係が指定されたときには、規定された文字３０３である「郵便はがき」又はこれに相当する文字（通常葉書の場合）又は「郵便往復はがき」又はこれに相当する文字（往復葉書の場合）が、自動的に、或いはユーザがその文字の配置を指示したときに、葉書本体である宛名面３０１の上部に配置される。
【００３１】
一方、図３（ｂ）に示されるように、宛名面３０１が添付物とされ内側面３０２が葉書本体とされるような葉書本体と添付物の配置関係が指定されたときには、規定された文字３０３である「郵便はがき」又はこれに相当する文字（通常葉書の場合）又は「郵便往復はがき」又はこれに相当する文字（往復葉書の場合）が、自動的に、或いはユーザがその文字の配置を指示したときに、葉書本体である内側面３０２の左部に配置される。
【００３２】
更に、図３（ｃ）に示されるように、宛名面３０１と下側の内側面３０２（＃２）が添付物とされ真ん中の内側面３０２（＃１）が葉書本体とされるような葉書本体と添付物の配置関係が指定されたときには、規定された文字３０３である「郵便はがき」又はこれに相当する文字（通常葉書の場合）又は「郵便往復はがき」又はこれに相当する文字（往復葉書の場合）が、自動的に、或いはユーザがその文字の配置を指示したときに、葉書本体である真ん中の内側面３０２（＃１）の左部に配置される。
【００３３】
図４は、葉書印刷原稿における葉書本体原稿と添付物原稿との印刷配置の説明図である。図４の例は、Ａ４サイズの印刷用紙のおもてとうらに、図３で説明した１枚の宛名面３０１と１枚の内側面３０２とから通常葉書を２組両面印刷する例が示されている。
【００３４】
図４（ａ）は図３（ａ）の例に対応しており、Ａ４用紙のおもて面には、宛名面３０１のおもて面が領域Iに、内側面３０２のうら面が領域に印刷される。また、Ａ４用紙のうら面には、内側面３０２のおもて面が領域IIIに、宛名面３０１のうら面が領域IVに印刷される。
【００３５】
一方、図４（ｂ）は図３（ｂ）の例に対応しており、Ａ４用紙のおもて面には、宛名面３０１のおもて面が領域Iに、内側面３０２のうら面が領域に印刷される。また、Ａ４用紙のうら面には、内側面３０２のおもて面が領域IIIに、宛名面３０１のうら面が領域IVに印刷される。この場合、宛名面３０１が内側面３０２に圧着されたときに、内側面３０２のおもて面の左側部に印刷される「郵便はがき」という文字が隠れないように、Ａ４用紙のおもて面に印刷され宛名面３０１のおもて面の左側と、Ａ４用紙のうら面に印刷される宛名面３０１のうら面の右側が、図４（ｂ）の斜線部のように削除される。更に、図１の印刷機１０４でＡ４用紙に両面印刷が行われた後に、Ａ４用紙のおもて面側から見て左端の斜線領域を図１の葉書断裁機１０５にてカットされる。なお、Ａ４用紙における上下２組の葉書原稿もカットされる。これにより、図１の葉書圧着機１０６でＡ４用紙上の葉書本体と添付物を縦に折って圧着させることができる。
【００３６】
図５は、図３及び図４で説明した動作を実現するための、図２の配置関係取得部２１０及び規定文字配置位置調整部２１１が実行する規定文字配置制御処理の例を示すフローチャートである。
【００３７】
まず、配置関係取得部２１０が、葉書印刷アプリケーション１０１における葉書印刷原稿データ１０３の作成、編集動作において、図３（ａ）又は（ｂ）で説明したような葉書本体原稿と添付物原稿との配置関係（サイズの大小）が変更されたか否かを判定する（ステップＳ５０１）。
【００３８】
ステップＳ５０１の判定がＮＯならば、配置関係取得部２１０が、図３で説明した規定された文字３０３の配置がユーザが操作する入力部２０３（図２）によって指示されたか否かを判定する（ステップＳ５０２）。
【００３９】
ステップＳ５０２の判定もＮＯならば、配置関係取得部２１０は、ステップＳ５０１の判定動作に戻って、上記ステップＳ５０１とＳ５０２の判定処理を繰り返す。
【００４０】
上記繰返し処理において、ステップＳ５０１又はＳ５０２のいずれかの判定がＹＥＳになると、規定文字配置位置調整部２１１が、現在作成、編集中の葉書印刷原稿データ１０３において、宛名面３０１が葉書本体になっている、即ち、宛名面３０１のサイズのほうが内側面３０２のサイズ以上となっているか否かを判定する（ステップＳ５０３）。
【００４１】
ステップＳ５０３の判定がＹＥＳの場合、即ち例えば図３（ａ）又は図４（ａ）のようなケースの場合には、規定文字配置位置調整部２１１は、宛名面３０１の図３（ａ）又は図４（ａ）のように上部に規定された文字３０３が既に配置されているか否かを判定する（ステップＳ５０４）。
【００４２】
規定された文字３０３が未だ図４（ａ）の葉書印刷原稿データ１０３上に配置されていない、又はいままで図４（ｂ）の配置になっていた後に図４（ａ）の配置に変更されることにより、規定された文字３０３が内側面３０２の左側部に配置されていて、ステップＳ５０４の判定がＮＯの場合には、規定文字配置位置調整部２１１は、図４（ａ）に示されるように、規定された文字３０３を、葉書本体である宛名面３０１のおもて面の領域Iの上部に新規に配置又は再配置する（ステップＳ５０５）。
【００４３】
規定された文字３０３が、図４（ａ）に示されるように、規定された文字３０３が、葉書本体である宛名面３０１のおもて面の領域Iの上部に既に配置されていて、ステップＳ５０４の判定がＹＥＳの場合には、規定文字配置位置調整部２１１は、規定された文字３０３の配置を調整する必要はないため、配置関係取得部２１０によるステップＳ５０１の待機処理に戻る。
【００４４】
一方、前述したステップＳ５０３の判定がＹＥＳの場合、即ち例えば図３（ｂ）又は図４（ｂ）のようなケースの場合には、規定文字配置位置調整部２１１は、宛名面３０１の図３（ｂ）又は図４（ｂ）のように左側部に規定された文字３０３が既に配置されているか否かを判定する（ステップＳ５０６）。
【００４５】
規定された文字３０３が未だ図４（ｂ）の葉書印刷原稿データ１０３上に配置されていない、又はいままで図４（ａ）の配置になっていた後に図４（ｂ）の配置に変更されることにより、規定された文字３０３が宛名面３０１の上部に配置されていて、ステップＳ５０６の判定がＮＯの場合には、規定文字配置位置調整部２１１は、図４（ｂ）に示されるように、規定された文字３０３を、葉書本体である内側面３０２のおもて面の領域IIIの左側部に新規に配置又は再配置する（ステップＳ５０７）。
【００４６】
規定された文字３０３が、図４（ｂ）に示されるように、規定された文字３０３が、葉書本体である内側面３０２のおもて面の領域IIIの左側部に既に配置されていて、ステップＳ５０６の判定がＹＥＳの場合には、規定文字配置位置調整部２１１は、規定された文字３０３の配置を調整する必要はないため、配置関係取得部２１０によるステップＳ５０１の待機処理に戻る。
【００４７】
以上のようにして、本実施形態によれば、葉書本体と添付物とが密着された形式の葉書原稿を作成、編集する際に、葉書本体と添付物との配置関係が自動的に判別されて、葉書本体の上部又は左側部（或いは右側部）に、規定された文字３０３が自動的に配置される。これにより、ユーザは、葉書本体と添付物との配置関係を意識することなく、葉書本体に記載が必要な規定された文字３０３を自動的に配置させることが可能となる。この場合に、規定された文字３０３が未だ配置されていなくても、葉書本体と添付物との配置関係が決定又は変更された時点で、規定された文字３０３が自動的に適切な場所に配置されるようにしてよい（図５のステップＳ５０１の判定に対応）。或いは、ユーザが規定された文字３０３の配置を入力部２０３におけるマウス操作等によって指示した時点で、規定された文字３０３が現在の葉書本体と添付物との配置関係に基づいて、適切な場所に配置されるようにしてもよい（図５のステップＳ５０２の判定に対応）。
【００４８】
本実施形態では、主に、規定された文字３０３として「郵便はがき」又はこれに相当する文字を通常葉書の葉書本体上に配置する例について説明したが、「郵便往復はがき」又はこれに相当する文字が往復葉書の葉書本体上に配置される場合についても、同様に配置調整を行うことができる。
【００４９】
以上、開示の実施形態とその利点について詳しく説明したが、当業者は、特許請求の範囲に明確に記載した本発明の範囲から逸脱することなく、様々な変更、追加、省略をすることができる。
【００５０】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００５１】
以上の実施形態に関して、更に以下の付記を開示する。
（付記１）
葉書本体のデータと前記葉書本体に添付される添付物のデータとからなる葉書印刷原稿のデータを作成するコンピュータに、
編集中の前記葉書印刷原稿における前記葉書本体原稿と前記添付物原稿との配置関係を取得する配置関係取得ステップと、
前記配置関係に応じて、前記葉書本体原稿上で規定された文字の配置位置を調整する規定文字配置位置調整ステップと、
を実行させるためのプログラム。
（付記２）
前記規定文字配置位置調整ステップにおいて、前記配置関係において前記葉書本体原稿が前記葉書印刷原稿において宛名の面となっている場合には、前記葉書本体原稿の上部に前記規定された文字を配置し、前記配置関係において前記葉書本体原稿が前記葉書印刷原稿データの内側の面となっている場合には、前記葉書本体原稿の左側部又は右側部に前記規定された文字を配置する、付記１に記載のプログラム。
（付記３）
前記規定文字配置位置調整ステップにおいて、前記葉書本体原稿の左側部又は右側部に前記規定された文字を配置する場合に、前記宛名の面となる前記添付物原稿を前記葉書本体原稿に全面密着させたときに前記葉書本体原稿の左側部又は右側部に配置される前記規定された文字が隠れないように、前記宛名の面となる前記添付物原稿のサイズを調整する、付記１又は２に記載のプログラム。
（付記４）
前記規定された文字は、前記葉書本体原稿が通常葉書の原稿である場合には、「郵便はがき」又はこれに相当する文字であり、前記葉書本体原稿が往復葉書の原稿である場合には、「郵便往復はがき」又はこれに相当する文字である、付記１乃至３のいずれかに記載のプログラム。
（付記５）
葉書本体のデータと前記葉書本体に添付される添付物原稿のデータとからなる葉書印刷原稿のデータを作成する装置であって、
編集中の前記葉書印刷原稿における前記葉書本体原稿と前記添付物原稿との配置関係を取得する配置関係取得部と、
前記配置関係に応じて、前記葉書本体原稿上で規定された文字の配置位置を調整する規定文字配置位置調整部と、
を備える葉書印刷原稿作成装置。
【符号の説明】
【００５２】
１００  葉書印刷原稿作成装置
１０１  葉書印刷アプリケーション
１０２  プリンタドライバ
１０３  葉書印刷原稿データ
１０４  印刷機
１０５  葉書断裁機
１０６  葉書圧着機
１０７  ＬＡＮ
２０１  制御部
２０２  外部記憶装置
２０３  入力部
２０４  表示部
２０５  通信インタフェース
２０６  可搬記録媒体インタフェース
２０７  バス
２０８  可搬記録媒体
２１０  配置関係取得部
２１１  規定文字配置位置調整部
３０１  宛名面
３０２  内側面
３０３  規定された文字
【図１】
2019110481.tif 000003
【図２】
2019110481.tif 000004
【図３】
2019110481.tif 000005
【図４】
2019110481.tif 000006
【図５】
2019110481.tif 000007